(57)【要約】【課題】イオンを安定して発生させるとともに発生させたイオンをミストに帯電させること。【解決手段】ミスト発生装置１は、ヒータ７により液体溜り部６に貯留された水などの液体を加熱し、沸騰させることによりミストを発生可能に構成されるとともに、放電針１２とグランド電極１３の間にマイナスの高電圧を印加することにより、コロナ放電を発生させてマイナスイオンを発生させるコロナ放電部１０を備えている。また、ミストノズル９の先端に開口し、ミストを吐出するためのミスト吐出口９ｂの近傍には、マイナスイオンを吐出するためのイオン吐出口１４ａが配置されている。そして、液体溜り部６で発生されたミストをミスト吐出口９ｂへ移送するためのミスト流路８には、圧縮ポンプ２０が空気供給路２１ａを介して接続されており、圧縮ポンプ２０から圧縮空気をミスト流路８内に供給することでミスト流路８内の圧力を高めるようになっている。【選択図】図１
2010046413.tif 000002
【特許請求の範囲】
【請求項１】
ミストを発生させるミスト発生手段と、
発生させたミストを吐出するためのミスト吐出口と、
前記ミスト発生手段から前記ミスト吐出口へ前記ミストを移送するためのミスト移送路と、
コロナ放電によりイオンを発生させるイオン発生手段と、
前記ミスト吐出口の近傍に配設され、前記イオンを吐出するためのイオン吐出口と、
前記ミストを吐出させる圧力を高めるように前記ミスト移送路内に空気を供給可能な空気供給手段と、を備えたミスト発生装置。
【請求項２】
前記ミスト発生手段は、液体を加熱してミストを発生可能に構成されており、
前記ミスト移送路内において前記空気供給手段よりも前記ミスト発生手段側には、当該ミスト移送路を閉鎖及び開放可能に構成された開閉機構が配設されている請求項１に記載のミスト発生装置。
【請求項３】
前記空気供給手段は、前記ミスト移送路内に空気を押出す空気押出手段である請求項１又は請求項２に記載のミスト発生装置。
【請求項４】
前記ミスト移送路内の温度を検知する温度検知手段と、
前記温度検知手段の検知結果に基づき前記空気押出手段を制御する制御手段と、を備え、
前記制御手段は、前記ミスト移送路内の温度が所定の温度を超える場合には、前記空気押出手段に空気の押出しを停止させ、前記ミスト移送路内の温度が所定の温度を超えない場合には、前記空気押出手段に空気を押出させる請求項３に記載のミスト発生装置。
【発明の詳細な説明】
【技術分野】
【０００１】
本発明は、ミストとイオンを異なる吐出口から吐出可能なミスト発生装置に関する。
【背景技術】
【０００２】
従来、使用者の肌にハリや潤いを与える目的で、マイナスイオンをミストに帯電させつつ、使用者に向けて吐出するミスト発生装置が使用されている。このようなミスト発生装置として、ヒータにより水を沸騰させて発生させたミスト（スチーム）と、コロナ放電により発生させたマイナスイオンとを使用者に向けて放出可能なミスト発生装置が提案されている（例えば、特許文献１）。特許文献１のミスト発生装置では、ミストを吐出させるミストノズルと、マイナスイオンを吐出させるイオンノズルが並設されているとともに、ミストノズルのミスト吐出口と、イオンノズルのイオン吐出口とが近接するように配置されている。そして、特許文献１では、ミストノズルの近傍に配設されたイオン吐出口からマイナスイオンを吐出することで、マイナスイオンとミストを混合し、マイナスイオンをミストに帯電させるようになっている。
【特許文献１】特開２００３−１５９３０５号公報
【発明の開示】
【発明が解決しようとする課題】
【０００３】
一般に、電極にマイナスの高電圧を印加してマイナスイオンを発生させる場合、湿度が高くなると電極間におけるコロナ放電が不安定となり、マイナスイオンの発生量が減少することが知られている。このため、ミスト吐出口から吐出されるミストによってイオン吐出口近傍の湿度が上昇することを抑制し、電極間のコロナ放電を安定させることが望まれている。しかしながら、特許文献１のミスト発生装置では、ミストノズルとイオンノズルを並設することで、マイナスイオンをミストに帯電させやすくできる反面、吐出されるミストがイオン吐出口近傍まで接近する可能性があった。
【０００４】
この発明は、このような従来の技術に存在する問題点に着目してなされたものであり、その目的は、イオンを安定して発生させるとともに発生させたイオンをミストに帯電させることができるミスト発生装置を提供することにある。
【課題を解決するための手段】
【０００５】
上記問題点を解決するために、請求項１に記載の発明は、ミストを発生させるミスト発生手段と、発生させたミストを吐出するためのミスト吐出口と、前記ミスト発生手段から前記ミスト吐出口へ前記ミストを移送するためのミスト移送路と、コロナ放電によりイオンを発生させるイオン発生手段と、前記ミスト吐出口の近傍に配設され、前記イオンを吐出するためのイオン吐出口と、前記ミストを吐出させる圧力を高めるように前記ミスト移送路内に空気を供給可能な空気供給手段と、を備えたことを要旨とした。
【０００６】
これによれば、空気供給手段によってミスト移送路内に空気が供給されることによりミスト移送路内の圧力、すなわちミスト吐出口からミストを吐出させる圧力が高められ、ミスト吐出口におけるミストの吐出速度を高めることができる。このため、ミストは、ミスト吐出口から勢いよく吐出されるとともに、拡散するよりも早くミスト吐出口から離間し、吐出されたミストがイオン吐出口に接近することを抑制できる。すなわち、ミスト吐出口から吐出されるミストがイオン吐出口に接近するとともに、イオン吐出口からイオン発生手段へ流入することにより、イオン発生手段付近の湿度が高くなることを抑制できる。そして、ミスト吐出口からミストを吐出させつつ、ミスト吐出口の近傍に配設されたイオン吐出口からイオンを吐出させることで、イオンとミストを混合し、イオンをミストに帯電させることができる。したがって、請求項１に記載の発明によれば、イオン発生手段における湿度の上昇を抑制し、安定してコロナ放電を行うことができる。そして、イオンを安定して発生させるとともにイオンをミストに帯電させることができる。
【０００７】
請求項２に記載の発明は、請求項１に記載のミスト発生装置において、前記ミスト発生手段は、液体を加熱してミストを発生可能に構成されており、前記ミスト移送路内において前記空気供給手段よりも前記ミスト発生手段側には、当該ミスト移送路を閉鎖及び開放可能に構成された開閉機構が配設されていることを要旨とした。
【０００８】
これによれば、開閉機構がミスト移送路を閉鎖することで、ミスト移送路内の圧力は、加熱により発生されるミストによって高められる。そして、空気供給手段がミスト移送路に空気を供給している状態において、開閉機構がミスト移送経路を開放することで、吐出速度を高めた状態でミスト吐出口からミストを吐出させることができる。
【０００９】
請求項３に記載の発明は、請求項１又は請求項２に記載のミスト発生装置において、前記空気供給手段は、前記ミスト移送路内に空気を押出す空気押出手段であることを要旨とした。
【００１０】
これによれば、空気押出手段がミスト移送路内に空気を押出すことによりミスト移送路内の圧力を高めることができる。このため、吐出速度を高めた状態でミスト吐出口からミストを吐出させることができる。
【００１１】
請求項４に記載の発明は、請求項３に記載のミスト発生装置において、前記ミスト移送路内の温度を検知する温度検知手段と、前記温度検知手段の検知結果に基づき前記空気押出手段を制御する制御手段と、を備え、前記制御手段は、前記ミスト移送路内の温度が所定の温度を超える場合には、前記空気押出手段に空気の押出しを停止させ、前記ミスト移送路内の温度が所定の温度を超えない場合には、前記空気押出手段に空気を押出させることを要旨とした。
【００１２】
これによれば、制御手段は、ミスト移送路内の温度を把握し、ミスト移送路内の温度が所定の温度を超えない場合、空気押出手段に対しミスト移送路内に空気を押出させるようになっている。一般に、ミスト移送路内では、温度が高いほど圧力が高く、反対に温度が低いほど圧力が低くなる。このため、ミスト移送路内の温度が所定の温度を超えない場合、すなわち、ミスト移送路内の圧力が低い場合には、空気押出手段によりミスト移送路内に空気を押出してミスト移送路内のミスト（空気）を圧縮し、ミスト移送路内の圧力を高めることで、ミストの吐出速度を高めることができる。
【発明の効果】
【００１３】
本発明によれば、イオンを安定して発生させるとともに発生させたイオンをミストに帯電させることができる。
【発明を実施するための最良の形態】
【００１４】
（第１の実施形態）
以下、本発明のミスト発生装置を具体化した第１の実施形態を図１及び図２にしたがって説明する。なお、以下の説明において「前」「後」「上」「下」「左」「右」は、ミスト発生装置の使用者が、当該ミスト発生装置を使用する際にミスト発生装置を向いた状態を基準とした「前」「後」「上」「下」「左」「右」を示すものとする。
【００１５】
図１に示すように、ミスト発生装置１の本体ケース２には、タンクホルダ３が設けられている。該タンクホルダ３には水などの液体を供給するタンク４が着脱可能に設けられている。タンク４は、図示しない止水ピンが設けられた蓋部４ａにより給水用の開口部が閉止されるとともに、その蓋部４ａ（開口部）が下側となるように配設されている。タンクホルダ３には、止水ピンに対応する形状の図示しない突出ピンが設けられている。タンク４は液体が注入された状態でタンクホルダ３に配設されることで、止水ピンが突出ピンにより押し込まれて水密性が解除されタンク４内の液体が流出されるものであり、タンクホルダ３にはタンク４から流出した液体が貯留される。
【００１６】
タンクホルダ３は、液体供給路５を介して、本体ケース２内の下部に形成された液体溜り部６と接続されている。液体溜り部６には、液体供給路５を介してタンクホルダ３の液体が供給され、貯留されるようになっている。液体溜り部６の前後側面には、液体溜り部６に貯留された液体を加熱して沸騰させるヒータ７が設けられている。本実施形態では、液体溜り部６及びヒータ７がミスト発生手段を構成している。液体溜り部６の上部には、本体ケース２の上下方向に沿って延びるミスト流路８が形成されている。
【００１７】
ミスト流路８の上部には、ミストを吐出（噴出）するためのミストノズル９が配設されており、このミストノズル９の先端には、ミストが吐出されるミスト吐出口９ｂが形成されている。また、ミストノズル９の内側には、ミスト流路８を通過するミストをミスト吐出口９ｂから吐出させるミスト吐出路９ａが形成されている。本実施形態では、ミスト流路８、及びミスト吐出路９ａにより、ミスト移送路が構成されている。そして、前記ヒータ７により液体溜り部６内の液体が加熱され、沸騰されることでミストノズル９のミスト吐出口９ｂからミストが吐出されるようになっている。なお、ヒータ７に印加する電圧値を変更することにより、吐出させるミスト量を調整することが可能となっている。また、ヒータ７へ電圧を印加し続けた場合、タンク４内の液体がなくなり、液体溜り部６への液体供給が途絶えることとなる。この場合、液体溜り部６の水位が低下することにより、液体溜り部６内に設けられた図示しないフロースイッチが動作して、ヒータ７への電圧の印加が停止されるようになっている。
【００１８】
また、ミスト流路８には、後方に向けて延びるように形成された空気供給パイプ２１が接続されているとともに、当該空気供給パイプ２１の先端（上流）には、空気供給手段としての圧縮ポンプ２０が接続されている。圧縮ポンプ２０は、本体ケース２に形成された図示しない吸気口から空気を吸入するとともに、吸入した空気を圧縮して供給可能に構成されている。また、空気供給パイプ２１の内側には、圧縮ポンプ２０から供給される圧縮空気をミスト流路８に供給する空気供給路２１ａが形成されている。空気供給パイプ２１（空気供給路２１ａ）には、空気供給路２１ａを閉鎖及び開放する空気用電磁弁２２が配設されている。空気用電磁弁２２が空気供給路２１ａを閉鎖した場合には、空気用電磁弁２２を通過して圧縮ポンプ２０側（上流側）からミスト流路８側（下流側）へ圧縮空気が通過できなくなる一方、空気用電磁弁２２が空気供給路２１ａを開放した場合には、空気用電磁弁２２を通過して圧縮ポンプ２０側からミスト流路８側へ圧縮空気が通過できるようになっている。本実施形態では、圧縮ポンプ２０が常時駆動して圧縮空気を供給可能となっている一方、空気用電磁弁２２が空気供給路２１ａを閉鎖することでミスト流路８への圧縮空気の供給を停止できるとともに、空気用電磁弁２２が空気供給路２１ａを開放することでミスト流路８への圧縮空気の供給を開始できるようになっている。なお、圧縮ポンプ２０が供給する圧縮空気の圧力は、ミスト吐出口９ｂから吐出されるミストの吐出速度が速くなりすぎない圧力とされている。
【００１９】
そして、ミスト発生装置１の本体ケース２内においてミスト流路８（ミストノズル９）の上部には、マイナスイオンを発生させる（生成する）イオン発生手段としてのコロナ放電部１０が設けられている。このコロナ放電部１０は、高圧電源回路１１と針状の放電針１２とグランドに接続された半円筒形状のグランド電極１３とで構成されている。コロナ放電部１０を構成する放電針１２及びグランド電極１３は、ミストノズル９の上部に設けられ、先端にイオン吐出口１４ａが開口するイオンノズル１４内に配設されている。具体的に説明すると、イオンノズル１４内においてイオン吐出口１４ａ側には、グランド電極１３が配置されているとともに、このグランド電極１３より本体ケース２側には、放電針１２が配置されている。放電針１２は、イオンノズル１４の中心軸上に位置するように支持部１２ａにより支持されている。
【００２０】
そして、コロナ放電部１０では、高圧電源回路１１により放電針１２及びグランド電極１３間にマイナスの高電圧を印加することでコロナ放電を発生させマイナスイオンが発生されるようになっている。コロナ放電部１０により発生されたマイナスイオンは、イオン吐出口１４ａから吐出されるようになっている。吐出されたマイナスイオンは、ミストノズル９から吐出されたミストと混合されることで、ミストがマイナス帯電されるようになっている。
【００２１】
このイオンノズル１４（イオン吐出口１４ａ）は、ミストノズル９（ミスト吐出口９ｂ）から所定範囲（１．５ｃｍ〜３ｃｍ）内の距離（本実施形態では２ｃｍ）離れた位置に配置されている。すなわち、イオン吐出口１４ａは、ミスト吐出口９ｂの近傍（付近）に配置されている。また、イオン吐出口１４ａ及びミスト吐出口９ｂは、上下方向に沿って並設されているとともに、イオンノズル１４（イオン吐出口１４ａ）が上方に、ミストノズル９（ミスト吐出口９ｂ）が下方に配置されている。また、ミストノズル９のミストの吐出方向ｍ１、及びイオンノズル１４のマイナスイオンの吐出方向ｍ２は何れも水平方向となっている一方で、両吐出方向ｍ１，ｍ２は相互に平行になっている。
【００２２】
また、本体ケース２内には、ミスト発生装置１の動作を制御する制御手段としての制御部１６が配設されている（図２に示す）。制御部１６は、所定のプログラムに従って演算処理を行うＣＰＵと、当該ＣＰＵが実行するプログラムや、前記ＣＰＵによる演算結果を記憶するメモリなどを備えるマイコンから構成されている。
【００２３】
次に、本実施形態のミスト発生装置１の電気的構成について説明する。
図２に示すように、制御部１６には、タイマ１６ａが搭載されている。また、制御部１６には、高圧電源回路１１が接続されており、コロナ放電部１０を構成する放電針１２及びグランド電極１３の間に印加する電圧のオン・オフを制御可能となっている。制御部１６には、図示しない電源回路を介してヒータ７が接続されており、当該電源回路を介してヒータ７に印加する電圧を制御することで、ヒータ７のオン・オフ及び発熱量を制御可能となっている。制御部１６には、図示しない電源回路を介して圧縮ポンプ２０が接続されており、当該電源回路を介して圧縮ポンプ２０のオン・オフを制御可能となっている。また、制御部１６には、空気用電磁弁２２が接続されており、空気用電磁弁２２に空気供給路２１ａを閉鎖させる閉動作、及び空気用電磁弁２２に空気供給路２１ａを開放させる開動作を制御可能となっている。
【００２４】
次に、制御部１６が実行する制御について説明する。
制御部１６は、図示しない電源スイッチの操作によりミスト発生装置１の電源が投入されると、ヒータ７に対し図示しない電源回路から電力の供給を開始させて液体溜り部６に貯留された液体を加熱し、沸騰させてミストを発生させる。また、制御部１６は、高圧電源回路１１を制御して、放電針１２及びグランド電極１３の間にマイナスの高電圧を印加させ、マイナスイオンを発生させる。
【００２５】
次に、制御部１６が空気用電磁弁２２を開閉動作させる制御について、図３にしたがって説明する。なお、電源投入時の初期状態において、空気用電磁弁２２は、空気供給路２１ａを閉鎖している。
【００２６】
先ず、制御部１６は、空気用電磁弁２２が空気供給路２１ａを閉鎖している時間の計測を開始する（ステップＳ１１）。続けて、制御部１６は、タイマ計測の開始から時間Ｔ１（例えば、２秒）を経過したか否かを判定する（ステップＳ１２）。この判定結果が否定の場合、制御部１６は、ステップＳ１１に戻ってタイマ計測を継続する。一方、ステップＳ１２における判定結果が肯定の場合、制御部１６は、空気用電磁弁２２に対して開動作指示を行い、空気用電磁弁２２に空気供給路２１ａを開放させる（ステップＳ１３）。また、制御部１６は、空気用電磁弁２２に対して開動作指示を行うと、タイマをリセットする。
【００２７】
次に、制御部１６は、空気用電磁弁２２が空気供給路２１ａを開放してからの経過時間を計測する（ステップＳ１４）。続けて、制御部１６は、タイマ計測の開始から時間Ｔ２（例えば、３秒）を経過したか否かを判定する（ステップＳ１５）。この判定結果が否定の場合、制御部１６は、ステップＳ１４に戻ってタイマ計測を継続する。一方、ステップＳ１４における判定結果が肯定の場合、制御部１６は、空気用電磁弁２２に対して閉動作指示を行い、空気用電磁弁２２に空気供給路２１ａを閉鎖させる（ステップＳ１６）。また、制御部１６は、空気用電磁弁２２に対して閉動作指示を行うと、タイマをリセットするとともに、図３のフローチャートに示す処理を終了する。制御部１６は、図３のフローチャートに示す制御を繰り返し実行するようになっている。
【００２８】
次に、上述したミスト発生装置１の作用を説明する。
図１に示すように、先ず、タンク４内に水などの液体を注入してタンクホルダ３に設置すると、タンクホルダ３に設けられた突出ピンによってタンク４の蓋部４ａの止水ピンがタンク４の内側に押し込まれ、蓋部４ａの水密性が解除され、タンク４内の液体はタンクホルダ３に貯留され、液体供給路５に通水され液体溜り部６に液体が貯留される。
【００２９】
この状態において図示しない電源スイッチの操作によりミスト発生装置１の電源が投入されると、制御部１６は、ヒータ７を作動させ、液体溜り部６内の液体を加熱させ、沸騰させる。これにより発生した水蒸気は、ミスト流路８を通過する際にミストとなる。また、制御部１６は、圧縮ポンプ２０を作動させる。この状態において、制御部１６は、時間Ｔ１が経過する迄の間、空気用電磁弁２２に空気供給路２１ａを閉鎖させており、圧縮ポンプ２０からミスト流路８に圧縮空気が供給されないようになっている。そして、時間Ｔ１が経過すると、制御部１６は、空気用電磁弁２２に空気供給路２１ａを開放させ、圧縮ポンプ２０からミスト流路８への圧縮空気の供給を開始させる。このため、ミスト流路８内において、ミスト流路８内に供給された圧縮空気と、ミスト流路８を通過するミスト（水蒸気）とが混合されるとともに、ミスト流路８内の圧力が高められる。そして、ミスト流路８内の圧力が高められていない状態と比較して、速い吐出速度でミスト吐出口９ｂからミストが吐出される。そして、ミスト吐出口９ｂから勢いよく吐出されるミストは、拡散するよりも早くミスト吐出口９ｂから離間するため、吐出されたミストがイオン吐出口１４ａに接近することを抑制できる。
【００３０】
制御部１６は、空気用電磁弁２２に空気供給路２１ａを開放させてから時間Ｔ２が経過すると、空気用電磁弁２２に再び空気供給路２１ａを閉鎖させるようになっており、圧縮ポンプ２０からミスト流路８への圧縮空気の供給を停止させる。このように、本実施形態では、制御部１６が空気用電磁弁２２に対し所定の時間（時間Ｔ１，Ｔ２）毎に空気供給路２１ａを閉鎖及び開放させることによって、周期的（間欠的に）にミスト流路８内の圧力が高められるとともに、ミストの吐出速度が速められるようになっている。
【００３１】
一方、コロナ放電部１０により発生されたマイナスイオンは、ミストノズル９の上部に設けられたイオンノズル１４（イオン吐出口１４ａ）から前方へ吐出されるようになっている。吐出されたマイナスイオンは、ミストノズル９から吐出されたミストと混合されることで、ミストがマイナス帯電されるようになっている。
【００３２】
次に、マイナスイオンを帯電させたミストによる使用者の皮膚（肌）への効果について説明する。
一般に人間の表皮は、基底層、有棘層、顆粒層、及び角質層から構成されており、角質層が皮膚の最も外層側を構成している。角質層は、角質細胞と、この角質細胞の間を埋めるセラミドを主成分とした細胞間脂質により構成されている。十分な量のセラミド（細胞間脂質）によって角質細胞間が満たされている場合、角質層は、バリア性を発揮して皮膚からの水分の蒸散を抑制できるとともに、水分を保持することができる。その一方で、セラミドが不足すると、バリア性が低下して皮膚から水分が蒸散しやすくなるとともに、水分の保持量が低下する。
【００３３】
マイナスイオンを帯電させたミストが使用者の肌に接触すると、使用者の皮膚の表面がマイナス帯電されるとともに、ミストにより水分が補給される。そして、皮膚表面がマイナス帯電されると、皮膚表面の微弱なマイナス電位を感知して顆粒層からセラミドの前駆体が角質層に向けて放出されるとともに、最終的にセラミドとなって角質細胞間を埋める。これにより、角質層において細胞間脂質量を増加させ、肌のバリア機能を改善（向上）するとともに、肌の水分保持量を増加（保湿力を向上）させることができる。そして、使用者の肌の肌理（キメ）を改善することができる。
【００３４】
以上のことから、肌のバリア機能を改善するとともに保湿力を向上させるためには、より多くのマイナスイオンをミストに帯電させ、使用者の肌に付着させることが望ましい。このため、ミスト吐出口９ｂとイオン吐出口１４ａとをできるだけ相互に近接した位置に配設し、マイナスイオンをミストに帯電させ易くすることが好ましい。その一方で、ミスト吐出口９ｂとイオン吐出口１４ａとを近接させることで、ミスト吐出口９ｂからミストが流入してコロナ放電部１０付近の湿度が上昇し、コロナ放電部１０におけるマイナスイオンの発生量が減少するという問題が生じ得る。しかしながら、本実施形態のミスト発生装置１によれば、圧縮ポンプ２０により圧縮空気をミスト流路８内に供給することでミスト流路８内の圧力を高め、吐出速度を速めた状態でミストを吐出させることで、ミストがミスト吐出口９ｂから吐出された直後から拡散し、イオン吐出口１４ａに接近することが抑制されるようになっている。すなわち、コロナ放電部１０付近の湿度がミストによって上昇することを抑制し、安定してコロナ放電をさせることでマイナスイオンの発生量が減少しないようになっている。このため、本実施形態のミスト発生装置１では、マイナスイオンを安定して発生させるとともに発生させたマイナスイオンをミストに帯電させることができる。そして、マイナスイオンが帯電したミストを使用者の肌に付着させることで、肌のバリア機能を改善するとともに保湿力を向上させることができる。
【００３５】
したがって、本実施形態によれば、以下に示す効果を得ることができる。
（１）ミストノズル９（ミスト吐出口９ｂ）の近傍にイオンノズル１４（イオン吐出口１４ａ）を配置した。このため、ミスト吐出口９ｂからミストを吐出させつつ、イオン吐出口１４ａからマイナスイオンを吐出させることで、マイナスイオンとミストが混合され、マイナスイオンをミストに帯電させることができる。
【００３６】
（２）圧縮ポンプ２０を設け、ミスト流路８内に圧縮空気を供給可能に構成した。このため、ミスト流路８内において、圧縮ポンプ２０によりミスト流路８内に供給された圧縮空気と、ミスト流路８を通過するミスト（水蒸気）とが混合されるとともに、供給された圧縮空気によってミスト流路８内の圧力、すなわちミストをミスト吐出口９ｂから吐出させる圧力を高めることができる。そして、吐出速度を速めた状態でミスト吐出口９ｂからミストを吐出させることができる。ミスト吐出口９ｂから勢いよく吐出されるミストは、拡散するよりも早くミスト吐出口９ｂから離間するため、吐出されたミストがイオン吐出口１４ａに接近することを抑制できる。このため、ミストがイオン吐出口１４ａからイオンノズル１４の内部に流入することにより、コロナ放電部１０を構成する放電針１２及びグランド電極１３の間における湿度が高くなることを抑制できる。したがって、湿度の上昇によってコロナ放電部１０におけるコロナ放電が不安定になり、マイナスイオンの発生量が減少することを抑制することができる。そして、マイナスイオンを安定して発生させるとともに、マイナスイオンをミストに帯電させることができる。
【００３７】
（３）制御部１６は、空気用電磁弁２２に対し所定の時間（時間Ｔ１，Ｔ２）毎に空気供給路２１ａを閉鎖及び開放させるようにした。このため、圧縮空気によってミスト流路８内の圧力を所定の時間毎に高めるとともに、吐出されるミストの吐出速度を所定の時間毎に速めることができる。すなわち、ミスト吐出口９ｂにおけるミストの吐出速度が所定の時間毎に間欠的に速くなるため、使用者の肌に対してマッサージ効果を与えることができる。
【００３８】
（４）ヒータ７は、液体を加熱して水蒸気を発生させ、当該水蒸気を、ミスト流路８を介してミストノズル９から吐出させることにより、温度が高く粒子が細かいミストを発生させることができる。そして、イオンノズル１４を、ミストノズル９の上方に配置させることにより、温度が高く粒子が細かいために、上昇しやすいミストに対してマイナスイオンを確実に吐出させることができる。このため、マイナスイオンとミストを良く混合させ、マイナスイオンをミストに帯電させることができる。
【００３９】
（５）マイナスイオンをミストに帯電させるようにした。このため、使用者の皮膚表面をマイナス帯電させ、角質層の細胞間脂質（セラミド）の量を増加させることで、肌のバリア機能を改善するとともに保湿力を向上させることができる。
【００４０】
（第２の実施形態）
次に、本発明のミスト発生装置を具体化した第２の実施形態を図４〜図６にしたがって説明する。以下の説明では、既に説明した実施形態と同一構成について同一符号を付すなどし、その重複する説明を省略又は簡略する。
【００４１】
図４に示すように、本実施形態のミスト流路８において空気供給路２１ａが接続された接続部８ａより上流側（液体溜り部６側）には、開閉機構としてのミスト用電磁弁２５が配設されている。ミスト用電磁弁２５は、所定の制御信号を入力してミスト流路８を閉鎖及び開放可能に構成されている。ミスト用電磁弁２５がミスト流路８を閉鎖した場合には、ミスト用電磁弁２５を通過して当該ミスト用電磁弁２５よりミスト流路８の上流側から下流側へミスト及び水蒸気（空気）が通過できなくなる一方、ミスト用電磁弁２５がミスト流路８を開放した場合には、ミスト用電磁弁２５を通過して当該ミスト用電磁弁２５よりミスト流路８の上流側から下流側へミスト及び水蒸気（空気）が通過できるようになっている。したがって、ミスト用電磁弁２５がミスト流路８を閉鎖した場合、ミスト流路８においてミスト用電磁弁２５より上流側（液体溜り部６側）、及び液体溜り部６の空間６ａは気密性を有するように閉鎖された閉鎖空間Ｓを形成するようになっている。
【００４２】
図５に示すように、制御部１６には、ミスト用電磁弁２５が接続されており、ミスト用電磁弁２５にミスト流路８を閉鎖させる閉動作、及びミスト用電磁弁２５にミスト流路８を開放させる開動作を制御可能となっている。
【００４３】
次に、本実施形態の制御部１６がミスト用電磁弁２５及び空気用電磁弁２２を開閉動作させる制御について、図６にしたがって説明する。なお、電源投入時の初期状態において、空気用電磁弁２２は、空気供給路２１ａを閉鎖しているとともに、ミスト用電磁弁２５は、ミスト流路８を閉鎖している。
【００４４】
先ず、制御部１６は、空気用電磁弁２２が空気供給路２１ａを閉鎖するとともに、ミスト用電磁弁２５がミスト流路８を閉鎖している時間の計測を開始する（ステップＳ２１）。続けて、制御部１６は、タイマ計測の開始から時間Ｔ１を経過したか否かを判定する（ステップＳ２２）。この判定結果が否定の場合、制御部１６は、ステップＳ２１に戻ってタイマ計測を継続する。一方、ステップＳ２２における判定結果が肯定の場合、制御部１６は、空気用電磁弁２２に対して開動作指示を行い、空気用電磁弁２２に空気供給路２１ａを開放させる（ステップＳ２３）。同時に、制御部１６は、ミスト用電磁弁２５に対して開動作指示を行い、ミスト用電磁弁２５にミスト流路８を開放させる（ステップＳ２３）。また、制御部１６は、各電磁弁２２，２５に対して開動作指示を行うと、タイマをリセットする。
【００４５】
次に、制御部１６は、空気用電磁弁２２が空気供給路２１ａを開放するとともに、ミスト用電磁弁２５がミスト流路８を開放してからの経過時間を計測する（ステップＳ２４）。続けて、制御部１６は、タイマ計測の開始から時間Ｔ２を経過したか否かを判定する（ステップＳ２５）。この判定結果が否定の場合、制御部１６は、ステップＳ２４に戻ってタイマ計測を継続する。一方、ステップＳ２５における判定結果が肯定の場合、制御部１６は、空気用電磁弁２２に対して閉動作指示を行い、空気用電磁弁２２に空気供給路２１ａを閉鎖させる（ステップＳ２６）。同時に、制御部１６は、ミスト用電磁弁２５に対して閉動作指示を行い、ミスト用電磁弁２５にミスト流路８を閉鎖させる（ステップＳ２６）。また、制御部１６は、各電磁弁２２，２５に対して閉動作指示を行うと、タイマをリセットするとともに、図６のフローチャートに示す処理を終了する。制御部１６は、図６のフローチャートに示す制御を繰り返し実行するようになっている。
【００４６】
次に、上述したミスト発生装置１の作用を説明する。
ヒータ７の動作により液体溜り部６内の液体を加熱させ、沸騰させている状態において、制御部１６は、時間Ｔ１が経過する迄の間、ミスト用電磁弁２５にミスト流路８を閉鎖させており、閉鎖空間Ｓ内の圧力Ｐが継続して発生される水蒸気（ミスト）により高められるようになっている。そして、時間Ｔ１が経過すると、制御部１６は、ミスト用電磁弁２５にミスト流路８を開放させる。また、制御部１６は、ミスト用電磁弁２５にミスト流路８を開放させるのと同時に、空気用電磁弁２２に対し空気供給路２１ａを開放させ、圧縮ポンプ２０からミスト流路８に対して圧縮空気の供給を開始させるようになっている。このため、ミスト用電磁弁２５の開放によりミスト流路８を上方に向けて通過するミスト（水蒸気）と、圧縮空気とが混合されるとともに、ミスト流路８内の圧力が高められる。そして、ミスト流路８内の圧力が高められていない状態と比較して、速い吐出速度でミスト吐出口９ｂからミストが吐出される。そして、ミスト吐出口９ｂから勢いよく吐出されるミストは、拡散するよりも早くミスト吐出口９ｂから離間するため、吐出されたミストがイオン吐出口１４ａに接近することを抑制できる。
【００４７】
そして、制御部１６は、ミスト用電磁弁２５にミスト流路８を開放させてから時間Ｔ２を経過すると、ミスト用電磁弁２５に再びミスト流路８を閉鎖させるようになっており、閉鎖空間Ｓ内の圧力が再び上昇される。また、制御部１６は、ミスト用電磁弁２５にミスト流路８を閉鎖させるのと同時に、空気用電磁弁２２に対し再び空気供給路２１ａを閉鎖させて、圧縮ポンプ２０からミスト流路８への圧縮空気の供給を停止させる。このように、本実施形態では、制御部１６が各電磁弁２２，２５に対し所定の時間（時間Ｔ１，Ｔ２）毎にそれぞれミスト流路８及び空気供給路２１ａを閉鎖及び開放させることによって、周期的（間欠的に）にミスト流路８内の圧力が高められるとともに、ミストの吐出速度が速められるようになっている。
【００４８】
したがって、本実施形態によれば、第１の実施形態の効果（１）〜（５）に記載の効果に加えて、以下の効果を得ることができる。
（６）ミスト流路８にミスト用電磁弁２５を設けるとともに、制御部１６がミスト用電磁弁２５に対し所定の時間（時間Ｔ１，Ｔ２）毎にミスト流路８を閉鎖及び開放させるようにした。このため、制御部１６がミスト用電磁弁２５にミスト流路８を閉鎖させることで閉鎖空間Ｓを形成し、継続して発生される水蒸気によって閉鎖空間Ｓ内の圧力を高めることができる。そして、閉鎖空間Ｓ内の圧力を高めた状態で制御部１６がミスト用電磁弁２５にミスト流路８を開放させることで、吐出速度を速めた状態でミスト吐出口９ｂからミストを吐出させることができる。
【００４９】
（７）また、制御部１６がミスト用電磁弁２５にミスト流路８を開放させるのと同時に、空気用電磁弁２２に空気供給路２１ａを開放させるようにした。このため、閉鎖空間Ｓ内において圧力が高められた後に、ミスト用電磁弁２５の開放によりミスト流路８を上方に向けて通過するミスト（水蒸気）と、圧縮空気とを混合し、ミスト流路８内の圧力、すなわちミスト吐出口９ｂからミストを吐出させる圧力をより高めることができる。したがって、吐出速度を速めた状態でミストを吐出することができる。
【００５０】
（第３の実施形態）
次に、本発明のミスト発生装置を具体化した第３の実施形態を図７〜図９にしたがって説明する。
【００５１】
図７に示すように、本実施形態のミスト流路８の下方位置には、ミスト流路８から本体ケース２の後方に向けて延びる有底略円筒状のシリンダ３０が接続されている。シリンダ３０内には、当該シリンダ３０の内面に沿って前後方向に摺動可能なピストン３１が配設されている。また、ピストン３１は、当該ピストン３１に連結されたピストンロッド３１ａを介して接続されたモータ３２により、前後方向に移動（前進及び後進）されるようになっている。本実施形態では、シリンダ３０、ピストン３１、ピストンロッド３１ａ、及びモータ３２が、空気押出手段としての空気押出機構３３を構成している。
【００５２】
そして、空気押出機構３３では、モータ３２によりピストン３１をシリンダ３０とミスト流路８との接続部８ａまで移動させることで、シリンダ３０内の空気（水蒸気，ミスト）をミスト流路８内に押出して、ミスト流路８内の水蒸気（空気）を圧縮可能に構成されている。なお、図７の二点鎖線は、ピストン３１が接続部８ａまで前進された状態を示している。また、接続部８ａまで前進された位置がピストン３１の「最終位置」とされている。また、空気押出機構３３において、ピストン３１がシリンダ３０の最も後方、すなわちピストン３１がミスト流路８から最も離間した位置が、ピストン３１の「初期位置」とされている。換言すれば、ピストン３１の初期位置は、空気押出機構３３がミスト流路８内に最も多くの空気を押出すことができる位置となっている。
【００５３】
ミスト流路８において空気押出機構３３及びミストノズル９の間には、ミスト流路８内の温度を検知する温度検知手段としての温度センサ３５が配設されている。また、ミストノズル９には、ミスト流路８からミスト吐出路９ａ（ミスト吐出口９ｂ）の方向へのみ流体が通過可能な逆止弁３６が配設されている。すなわち、逆止弁３６は、空気がミスト吐出口９ｂからミスト流路８内に流入（逆流）しないようにしている。また、本実施形態の逆止弁３６は、ミスト流路８内の圧力が所定の圧力Ｐを超えないと、ミスト流路８からミスト吐出路９ａの方向にミストが通過できないようなっている。すなわち、ミスト流路８内の圧力が圧力Ｐを超えない場合には、ミストがミスト吐出口９ｂから吐出されないようになっている。そして、逆止弁３６は、ミスト流路８内の圧力が所定の圧力Ｐを超えない場合、ミスト流路８及び空間６ａを、気密性が保たれた密閉空間Ｓａとするようになっている。
【００５４】
また、図８に示すように、制御部１６には、温度センサ３５が接続されており、温度センサ３５がミスト流路８（密閉空間Ｓａ）内の温度Ｃを検知して出力する検知信号を入力して、ミスト流路８（密閉空間Ｓａ）内の温度Ｃを把握可能となっている。
【００５５】
次に、本実施形態の制御部１６が空気押出機構３３に空気を押出させる制御について、図９にしたがって説明する。なお、電源投入時の初期状態において、ピストン３１は、初期位置に待機している状態となっている。
【００５６】
先ず、制御部１６は、温度センサ３５から検知信号を入力し、密閉空間Ｓａ内の温度Ｃを把握する（ステップＳ３１）。続けて、制御部１６は、温度センサ３５から入力した検知信号に基づき把握した温度Ｃが、所定の温度Ｃ０を超えたか否かを判定する（ステップＳ３２）。ここで、所定の温度Ｃ０は、逆止弁３６の働きによって密閉空間Ｓａの気密性が保たれた状態において、密閉空間Ｓａ内の圧力が圧力Ｐより僅かに高くなる温度とされている。前述のように、密閉空間Ｓａ内の圧力が圧力Ｐを超えない場合、密閉空間Ｓａは逆止弁３６によって気密性が保たれた状態となっている。このため、密閉空間Ｓａ内の圧力は、温度Ｃに比例する関係にあり、ミスト流路８の温度Ｃが所定の温度Ｃ０に達すると、密閉空間Ｓａ内の圧力は圧力Ｐより僅かに高い圧力となるようになっている。
【００５７】
ステップＳ３２における判定結果が肯定の場合、制御部１６は、空気押出機構３３を構成するモータ３２に対して停止指示を行い、モータ３２にピストン３１の移動（前進）を停止させる（ステップＳ３３）。そして、制御部１６は、図９のフローチャートに示す制御を終了する。一方、ステップＳ３２における判定結果が否定の場合、制御部１６は、モータ３２に対して動作指示を行い、モータ３２にピストン３１をミスト流路８側に向けて移動（前進）させる（ステップＳ３４）。そして、制御部１６は、図９のフローチャートに示す処理を終了する。制御部１６は、図９のフローチャートに示す制御を繰り返し実行するようになっている。なお、制御部１６は、ピストン３１が最終位置まで移動（前進）した場合には、モータ３２に対しピストン３１を初期位置に移動（後退）させるようになっている。
【００５８】
次に、上述したミスト発生装置１の作用を説明する。
ヒータ７の動作により液体溜り部６内の液体を加熱させ、沸騰させている状態において、制御部１６は、密閉空間Ｓａ（ミスト流路８）内の温度Ｃが所定の温度Ｃ０を超える迄の間、空気押出機構３３のモータ３２にピストン３１を前進させてシリンダ３０内の空気（水蒸気，ミスト）をミスト流路８内に供給し、ミスト流路８内の水蒸気（空気）を圧縮するようになっている。そして、密閉空間Ｓａ内の温度Ｃが所定の温度Ｃ０を超えると、制御部１６は、モータ３２に動作を終了させてピストン３１の移動を停止させるようになっている。このため、密閉空間Ｓａの圧力は、液体溜り部６における水蒸気（ミスト）の発生に加えて、空気押出機構３３から空気の供給を受けることで、すばやく高められるようになっている。そして、密閉空間Ｓａ内の温度Ｃが所定の温度Ｃ０を超えることで、密閉空間Ｓａ内の圧力は、逆止弁３６をミストが通過可能な圧力Ｐより僅かに高い圧力となる。このため、密閉空間Ｓａ（ミスト流路８及び空間６ａ）内に充満するミストは、逆止弁３６を通過してミスト流路８からミスト吐出路９ａ内へ流入するとともに、ミスト吐出口９ｂから吐出される。この際、ミスト流路８内における水蒸気（ミスト）の圧力が高められていることから、圧力が高められていない状態と比較して、ミスト吐出口９ｂから速い吐出速度でミストが吐出される。このため、ミスト吐出口９ｂから勢いよく吐出されるミストは、拡散するよりも早くミスト吐出口９ｂから離間するため、吐出されたミストがイオン吐出口１４ａに接近することを抑制できる。
【００５９】
そして、ミスト吐出口９ｂからミストが吐出されることで、ミスト流路８内の圧力が低下するのに伴って、ミスト流路８（密閉空間Ｓａ）内の温度Ｃが温度Ｃ０を下回ると、制御部１６は、モータ３２に動作を再開させてピストン３１の前進を再開させ、密閉空間Ｓａ内の圧力が再び上昇される。このように、本実施形態では、制御部１６が温度センサ３５の検知結果に基づき空気押出機構３３のモータ３２にピストン３１を前進及び停止させることで、略周期的（間欠的に）にミスト流路８及び空間６ａ内の圧力が高められるとともに、ミストが吐出されるようになっている。そして、ミストが吐出される際には、ミストの吐出速度が速められるようになっている。
【００６０】
本実施形態において、空気押出機構３３におけるモータ３２の動作によってピストン３１が最終位置まで前進した場合、制御部１６は、モータ３２にピストン３１を初期位置まで後退させる。この場合、ピストン３１の後退動作に伴ってミスト流路８及び空間６ａ内が減圧されることになるが、ミスト流路８及び空間６ａ内の圧力は、液体溜り部６で発生される水蒸気によって回復されるようになっている。この際、ミストノズル９に配設された逆止弁３６によって、空気がミスト吐出口９ｂからミスト流路８及び空間６ａ内に流入（逆流）することが阻止されるため、流入する空気によってミスト流路８及び空間６ａ内の温度Ｃが著しく低下することを抑制することができる。
【００６１】
したがって、本実施形態によれば、第１の実施形態の効果（１）、（４）及び（５）に記載の効果に加えて、以下の効果を得ることができる。
（８）空気押出機構３３を設け、ミスト流路８に空気を供給可能に構成した。このため、制御部１６が、モータ３２にピストン３１を前進させることによって、ミスト流路８内の水蒸気（空気）を圧縮し、ミスト流路８内の圧力、すなわち、ミスト吐出口９ｂからミストを吐出させる圧力を高めることができる。すなわち、吐出速度を速めた状態でミスト吐出口９ｂからミストを吐出させることができる。ミスト吐出口９ｂから勢いよく吐出されるミストは、拡散するよりも早くミスト吐出口９ｂから離間するため、吐出されたミストがイオン吐出口１４ａに接近することを抑制できる。このため、ミストがイオン吐出口１４ａからイオンノズル１４の内部に流入することにより、コロナ放電部１０を構成する放電針１２及びグランド電極１３の間における湿度が高くなることを抑制できる。したがって、湿度の上昇によってコロナ放電部１０におけるコロナ放電が不安定になり、マイナスイオンの発生量が減少することを抑制することができる。そして、マイナスイオンを安定して発生させるとともに、マイナスイオンをミストに帯電させることができる。
【００６２】
（９）ミストノズル９に逆止弁３６を配設した。このため、ミスト吐出口９ｂから空気がミスト流路８及び空間６ａ内に流入（逆流）することを阻止し、流入する空気によってミスト流路８及び空間６ａ内の温度Ｃが著しく低下することを抑制することができる。
【００６３】
（１０）制御部１６が温度センサ３５の検知結果に基づき空気押出機構３３のモータ３２にピストン３１を前進及び停止させることで、略周期的（間欠的に）にミスト流路８及び空間６ａ内の圧力が高められるとともに、ミストが吐出されるようにした。このため、ミスト吐出口９ｂからミストが間欠的に吐出されるとともに、使用者の肌に対してマッサージ効果を与えることができる。
【００６４】
なお、上記実施形態は、以下のように変更してもよい。
○  第３の実施形態において、図１０（ａ）及び（ｂ）に示すように、空気押出機構３３を異なる構成としてもよい。具体的に説明すると、ミスト流路８の下方位置に本体ケース２の後方に向けて延びる円筒状のミスト側路４０を設け、当該ミスト側路４０の外周面に沿って摺動可能な有底円筒状の蓋体４１を配設する。そして、蓋体４１の底部の外側にロッド４１ａを介してモータ３２を接続するとともに、図１０（ａ）に示すように、当該モータ３２によって蓋体４１が最も後方に移動した初期位置から、図１０（ｂ）に示すように、蓋体４１の底部の内側とミスト側路４０の先端部が接触する最終位置へ前進可能に構成する。このように構成しても、初期位置にある蓋体４１の内部の空気（水蒸気，ミスト）をミスト流路８内に供給するとともに、ミスト流路８内の水蒸気（空気）を圧縮し、圧力を高めることができる。
【００６５】
○  第１の実施形態において、空気用電磁弁２２は、設けなくてもよい。すなわち、制御部１６は、圧縮ポンプ２０のオン・オフによって、ミスト流路８への圧縮空気の供給を開始及び停止させるようにしてもよい。
【００６６】
○  第１の実施形態において、空気供給路２１ａにおいて空気用電磁弁２２と圧縮ポンプ２０の間に、空気溜り部を設けてもよい。このように構成することで、空気用電磁弁２２が空気供給路２１ａを閉鎖している間に圧縮空気を空気溜り部に貯留することができる。そして、空気用電磁弁２２が空気供給路２１ａを開放した際に、空気溜り部から多量の空気をミスト流路８内に供給することができる。
【００６７】
○  第１，第２の実施形態において、制御部１６は、空気用電磁弁２２に対し常に空気供給路２１ａを開放させるようにしてもよい。このように構成しても、ミスト流路８内の圧力を高めることができる。
【００６８】
○  第１，第２の実施形態において、タイマ１６ａは、制御部１６に搭載したが、制御部１６とは別体に設けるとともに、制御部１６に接続するようにしてもよい。
○  第１，第２の実施形態において、空気用電磁弁２２に代えて、モータにより弁の開閉を行う電動弁を配設してもよい。この場合、制御部１６は、モータの動作を制御して電動弁の開閉動作を制御する。このように構成しても、空気供給路２１ａを閉鎖及び開放することができる。
【００６９】
○  第２の実施形態において、ミスト用電磁弁２５に代えて、モータにより弁の開閉を行う電動弁を配設してもよい。この場合、制御部１６は、モータの動作を制御して電動弁の開閉動作を制御する。このように構成しても、ミスト流路８を閉鎖及び開放することができる。
【００７０】
○  第２の実施形態において、ミスト用電磁弁２５は、ミスト流路８以外の場所に設けてもよい。例えば、ミスト用電磁弁２５は、ミストノズル９に設けてもよい。このように構成しても、閉鎖空間Ｓ内の圧力Ｐを高めることができる。
【００７１】
○  第２の実施形態において、制御部１６は、空気用電磁弁２２及びミスト用電磁弁２５に対し、それぞれ異なる時期に開放及び閉鎖させるようにしてもよい。このように構成しても、ミスト用電磁弁２５にミスト流路８を閉鎖させることで閉鎖空間Ｓ内の圧力を高めることが可能であるとともに、圧縮空気によってミスト流路８内の圧力を高め、ミスト吐出口９ｂにおけるミストの吐出速度を速くすることができる。
【００７２】
○  第３の実施形態において、逆止弁３６は設けなくてもよい。この場合、ミスト吐出口９ｂを小さく形成することで、ミストがミスト吐出口９ｂから吐出され難く構成し、ミスト流路８内の圧力を高くできるようにする。なお、本別例では、密閉空間Ｓａが形成されないが、ミスト流路８とミスト発生装置１の外部とを連通するミスト吐出口９ｂが小さいため、ミスト流路８内の温度Ｃと、圧力は略比例関係が維持される。
【００７３】
○  第３の実施形態において、温度センサ３５は、ミスト流路８に配設したが、液体溜り部６の空間６ａの内壁面に配設してもよい。このように構成しても、密閉空間Ｓａ内の温度Ｃを測定することができる。
【００７４】
○  第３の実施形態において、制御部１６は、ミスト流路８内の圧力に応じてモータ３２を動作させるようにしてもよい。具体的に説明すると、温度センサ３５に代えてミスト流路８（密閉空間Ｓａ）内の圧力を検知する圧力センサを配設するとともに、制御部１６に接続する。そして、制御部１６は、ミスト流路８（密閉空間Ｓａ）内の圧力が圧力Ｐを超える場合、モータ３２にピストン３１を前進させるとともに、圧力Ｐを超えない場合、モータ３２にピストン３１を停止させるように構成する。このように構成しても、ミスト流路８内の水蒸気（空気）を圧縮し、ミスト流路８内の圧力を高めることができる。この場合、圧力センサは圧力検知手段として機能する一方、制御部１６は制御手段として機能する。
【００７５】
○  各実施形態において、制御部１６は、１つに構成したが、制御部を２つに分割するとともに、一方が高圧電源回路１１、及びヒータ７を制御し、他方が各電磁弁２２，２５やモータ３２などを制御するように構成してもよい。
【００７６】
○  各実施形態において、ミスト吐出口９ｂ及びイオン吐出口１４ａは、左右方向に並ぶように配置してもよく、また、本体ケース２の上方や側方に向けて開口するように配置してもよい。
【００７７】
○  各実施形態において、ヒータ７により水を加熱してミストを発生するように構成したが、異なる機構によりミストを発生するようにしてもよい。例えば、超音波や、加湿エレメントを用いてミストを発生させてもよい。
【００７８】
○  各実施形態において、コロナ放電部１０は、マイナスイオンを発生可能に構成したが、プラスイオンを発生可能に構成してもよい。この場合、放電針１２及びグランド電極１３間にプラスの高電圧を印加する。このように構成しても、コロナ放電部１０において、イオンを発生させることができる。
【００７９】
上記実施形態及び別例から、以下の技術的思想を把握できる。
（イ）前記空気供給手段は、前記ミスト移送路内の圧力よりも高い圧力の圧縮空気を供給可能に構成された請求項１に記載のミスト発生装置。
【００８０】
（ロ）前記ミスト移送路内の圧力を検知する圧力検知手段と、前記圧力検知手段の検知結果に基づき前記空気押出手段を制御する制御手段と、を備え、前記制御手段は、前記ミスト移送路内の圧力が所定の圧力を超える場合には、前記空気押出手段に空気の押出しを停止させ、前記ミスト移送路内の圧力が所定の圧力を超えない場合には、前記空気押出手段に空気を押出させる請求項３に記載のミスト発生装置。
【図面の簡単な説明】
【００８１】
【図１】第１の実施形態におけるミスト発生装置の模式図。
【図２】第１の実施形態におけるミスト発生装置の電気的構成を示すブロック図。
【図３】第１の実施形態における制御部が実行する処理のフローチャート。
【図４】第２の実施形態におけるミスト発生装置の模式図。
【図５】第２の実施形態におけるミスト発生装置の電気的構成を示すブロック図。
【図６】第２の実施形態における制御部が実行する処理のフローチャート。
【図７】第３の実施形態におけるミスト発生装置の模式図。
【図８】第３の実施形態におけるミスト発生装置の電気的構成を示すブロック図。
【図９】第３の実施形態における制御部が実行する処理のフローチャート。
【図１０】（ａ）及び（ｂ）は、別例における空気押出機構の模式図。
【符号の説明】
【００８２】
１…ミスト発生装置、６…液体溜り部、６ａ…空間、７…ヒータ、８…ミスト流路、９…ミストノズル、９ａ…ミスト吐出路、９ｂ…ミスト吐出口、１０…コロナ放電部、１２…放電針、１３…グランド電極、１４…イオンノズル、１４ａ…イオン吐出口、１６…制御部、２０…圧縮ポンプ、２５…ミスト用電磁弁、３０…シリンダ、３１…ピストン、３１ａ…ピストンロッド、３２…モータ、３３…空気押出機構、３５…温度センサ。
【図１】
2010046413.tif 000003
【図２】
2010046413.tif 000004
【図３】
2010046413.tif 000005
【図４】
2010046413.tif 000006
【図５】
2010046413.tif 000007
【図６】
2010046413.tif 000008
【図７】
2010046413.tif 000009
【図８】
2010046413.tif 000010
【図９】
2010046413.tif 000011
【図１０】
2010046413.tif 000012